【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
所定のトリガー条件を満たした場合に撮像された画像を識別可能にして表示するように制御する制御手段と、
前記所定のトリガー条件として、音量を検知する検知手段による検知量、前回撮像された画像からの変化量、又は前回の撮像時からの撮像装置の位置又は傾きの変化量のうち少なくとも１つをユーザより設定画面を介して受け付けて設定する設定手段と、
を備えることを特徴とするシステム。
【請求項２】
さらに、前記制御手段は、所定のトリガー条件を満たした場合に撮像された画像と所定のトリガー条件を満たさず撮像された画像とを時系列に表示するように制御することを特徴とする請求項１に記載のシステム。
【請求項３】
さらに、前記制御手段は、所定のトリガー条件を満たした場合に撮像された画像と所定のトリガー条件を満たさず撮像された画像とを、前記設定手段において設定されたトリガー条件に基づいて異なる時間を用いてスライドショー表示するように制御することを特徴とする請求項１乃至２のいずれか１項に記載のシステム。
【請求項４】
前記所定のトリガー条件として、音量を検知する検知手段による検知量、前回撮像された画像からの変化量、又は前回の撮像時からの撮像装置の位置又は傾きの変化量のうち少なくとも１つから選択することが可能な選択手段を備えることを特徴とする請求項１乃至３のいずれか１項に記載のシステム。
【請求項５】
前記制御手段は、前記設定手段で設定された所定のトリガー条件を満たした場合に撮像が行われた際の前記検知手段の検知量、前回撮像された画像からの変化量、又は前回の撮像時からの撮像装置の位置又は傾き変化量を、前記所定のトリガー条件を満たした場合に撮像された画像とともに表示するように制御することを特徴とする請求項１乃至３のいずれか１項に記載のシステム。
【請求項６】
さらに、前記制御手段は、所定のトリガー条件を満たした場合に撮像された画像と所定のトリガー条件を満たさず撮像された画像を識別可能にして表示する際のトリガーを選択することが可能な選択手段を含むことを特徴とする請求項１乃至５のいずれか１項に記載のシステム。
【請求項７】
所定のトリガー条件を満たした場合に撮像された画像を管理する管理手段と、
前記管理手段により管理されている画像の削除指示を受け付ける受付手段と、
前記受付手段により削除指示を受け付けた画像が前記所定のトリガー条件を満たした場合に撮像された画像と所定のトリガー条件を満たさず撮像された画像の場合とにおいて、削除を実行するために異なる確認を行う確認手段と、
を備えることを特徴とする請求項１乃至６のいずれか１項に記載のシステム。
【請求項８】
システムにおける処理方法であって、
前記システムが、
所定のトリガー条件を満たした場合に撮像された画像を識別可能にして表示するように制御する制御ステップと、
前記所定のトリガー条件として、音量を検知する検知手段による検知量、前回撮像された画像からの変化量、又は前回の撮像時からの撮像装置の位置又は傾きの変化量のうち少なくとも１つをユーザより設定画面を介して受け付けて設定する設定ステップと、
を実行することを特徴とする処理方法。
【請求項９】
請求項１乃至７のいずれか１項に記載のシステムとして機能させるためのプログラム。
【手続補正２】
【補正対象書類名】明細書
【補正対象項目名】発明の名称
【補正方法】変更
【補正の内容】
【発明の名称】システム、その処理方法及びプログラム
【手続補正３】
【補正対象書類名】明細書
【補正対象項目名】０００１
【補正方法】変更
【補正の内容】
【０００１】
本発明は、所定のトリガー条件を満たした場合に撮像された画像を表示するシステムと、その処理方法及びプログラムの技術に関する。
【手続補正４】
【補正対象書類名】明細書
【補正対象項目名】０００６
【補正方法】変更
【補正の内容】
【０００６】
本発明は、ユーザにより設定画面を介して、音量を検知する検知手段の検知量、前回撮像された画像からの変化量又は前回の撮像時からの撮像装置の変化量のうち少なくとも１つを所定のトリガー条件として受け付けて設定し、設定された所定のトリガー条件を満たした場合に撮像された画像を識別可能に表示することを目的とする。
【手続補正５】
【補正対象書類名】明細書
【補正対象項目名】０００７
【補正方法】変更
【補正の内容】
【０００７】
本発明は、所定のトリガー条件を満たした場合に撮像された画像を識別可能にして表示するように制御する制御手段と、前記所定のトリガー条件として、音量を検知する検知手段による検知量、前回撮像された画像からの変化量、又は前回の撮像時からの撮像装置の位置又は傾きの変化量のうち少なくとも１つをユーザより設定画面を介して受け付けて設定する設定手段と、を備えることを特徴とする。
また、本発明は、システムにおける処理方法であって、前記システムが、所定のトリガー条件を満たした場合に撮像された画像を識別可能にして表示するように制御する制御ステップと、前記所定のトリガー条件として、音量を検知する検知手段による検知量、前回撮像された画像からの変化量、又は前回の撮像時からの撮像装置の位置又は傾きの変化量のうち少なくとも１つをユーザより設定画面を介して受け付けて設定する設定ステップと、を実行することを特徴とする。
また、本発明は、上述のシステムとして機能させるためのプログラムを特徴とする。
【手続補正６】
【補正対象書類名】明細書
【補正対象項目名】０００８
【補正方法】変更
【補正の内容】
【０００８】
本発明によれば、ユーザにより設定画面を介して、音量を検知する検知手段の検知量、前回撮像された画像からの変化量又は前回の撮像時からの撮像装置の変化量のうち少なくとも１つを所定のトリガー条件として受け付けて設定し、設定された所定のトリガー条件を満たした場合に撮像された画像を識別可能に表示することができる。
【手続補正７】
【補正対象書類名】明細書
【補正対象項目名】００６６
【補正方法】変更
【補正の内容】
【００６６】
図１０は、本実施形態の情報処理装置１０１における撮像画像一覧設定画面の一例を示す図である。情報処理装置１０１のディスプレイに表示された撮像画像一覧設定画面１０００で設定された値は、外部メモリ２１１に格納された撮像画像一覧設定テーブル１０２０に記憶する。
図１１は、本実施形態の情報処理装置１０１における撮像画像一覧設定処理の一例を示すフローチャートである。
ステップＳ１１０１において、情報処理装置１０１は、撮像画像一覧設定ボタン（不図示）の押下を受け付ける。
ステップＳ１１０２において、情報処理装置１０１は、撮像画像一覧設定画面１０００（図１０）を表示する。
【手続補正８】
【補正対象書類名】明細書
【補正対象項目名】００８７
【補正方法】変更
【補正の内容】
【００８７】
ステップＳ１３０３において、情報処理装置１０１は、撮像装置１００にて撮像された撮像画像を、撮像装置１００のフラッシュメモリ、外部ストレージ、または情報処理装置１０１の外部メモリ２１１から１つ取得する。
【手続補正９】
【補正対象書類名】明細書
【補正対象項目名】００８８
【補正方法】変更
【補正の内容】
【００８８】
ステップＳ１３０４において、情報処理装置１０１は、ステップＳ１３０３にて取得した撮像画像から、当該撮像の付加情報である、「撮像時刻」「撮像位置情報」「撮像傾き情報」「撮像トリガー」を取得し、ＲＡＭ２０２に記憶する。なお、撮像トリガーには、「定間隔」「シャッター」「音」「画像変化」「位置変化」「傾き変化」などがある。
【手続補正１０】
【補正対象書類名】明細書
【補正対象項目名】００８９
【補正方法】変更
【補正の内容】
【００８９】
ステップＳ１３０６において、情報処理装置１０１は、ステップＳ１３０４にてＲＡＭ２０２に記憶した撮像トリガー＝「シャッター」か否かを判定する。Ｙｅｓの場合は、ステップＳ１３０７に進む。Ｎｏの場合は、ステップＳ１３１０に進む。
【手続補正１１】
【補正対象書類名】明細書
【補正対象項目名】００９２
【補正方法】変更
【補正の内容】
【００９２】
ステップＳ１３１０において、情報処理装置１０１は、ステップＳ１３０４にてＲＡＭ２０２に記憶した撮像トリガー＝「音」か否かを判定する。Ｙｅｓの場合は、ステップＳ１３１１に進む。Ｎｏの場合は、ステップＳ１３１４に進む。
【手続補正１２】
【補正対象書類名】明細書
【補正対象項目名】００９５
【補正方法】変更
【補正の内容】
【００９５】
ステップＳ１３１４において、情報処理装置１０１は、ステップＳ１３０４にてＲＡＭ２０２に記憶した撮像トリガー＝「画像変化」か否かを判定する。Ｙｅｓの場合は、ステップＳ１３１５に進む。Ｎｏの場合は、ステップＳ１３１８に進む。
【手続補正１３】
【補正対象書類名】明細書
【補正対象項目名】００９８
【補正方法】変更
【補正の内容】
【００９８】
ステップＳ１３１８において、情報処理装置１０１は、ステップＳ１３０４にてＲＡＭ２０２に記憶した撮像トリガー＝「位置変化」か否かを判定する。Ｙｅｓの場合は、ステップＳ１３１９に進む。Ｎｏの場合は、ステップＳ１３２２に進む。
【手続補正１４】
【補正対象書類名】明細書
【補正対象項目名】０１０１
【補正方法】変更
【補正の内容】
【０１０１】
ステップＳ１３２２において、情報処理装置１０１は、ステップＳ１３０４にてＲＡＭ２０２に記憶した撮像トリガー＝「傾き変化」か否かを判定する。Ｙｅｓの場合は、ステップＳ１３２３に進む。Ｎｏの場合は、ステップＳ１３０３に戻り、次の撮像画像を取得する。
【手続補正１５】
【補正対象書類名】明細書
【補正対象項目名】０１１０
【補正方法】変更
【補正の内容】
【０１１０】
図１５は、本実施形態の情報処理装置１０１におけるスライドショー設定画面の一例を示す図である。情報処理装置１０１のディスプレイに表示されたスライドショー設定画面１５００で設定された値は、外部メモリ２１１に格納されたスライドショー設定テーブル１５２０に記憶する。
【手続補正１６】
【補正対象書類名】明細書
【補正対象項目名】０１４３
【補正方法】変更
【補正の内容】
【０１４３】
ステップＳ１８０３において、情報処理装置１０１は、撮像装置１００にて撮像された撮像画像を、撮像装置１００のフラッシュメモリ、外部ストレージ、または情報処理装置１０１の外部メモリ２１１から１つ取得する。
【手続補正１７】
【補正対象書類名】明細書
【補正対象項目名】０１４４
【補正方法】変更
【補正の内容】
【０１４４】
ステップＳ１８０４において、情報処理装置１０１は、ステップＳ１８０３にて取得した撮像画像から、当該撮像の付加情報である、「撮像時刻」「撮像位置情報」「撮像傾き情報」「撮像トリガー」を取得し、ＲＡＭ２０２に記憶する。なお、撮像トリガーには、「定間隔」「シャッター」「音」「画像変化」「位置変化」「傾き変化」などがある。
【手続補正１８】
【補正対象書類名】明細書
【補正対象項目名】０１４５
【補正方法】変更
【補正の内容】
【０１４５】
ステップＳ１８０６において、情報処理装置１０１は、ステップＳ１８０４にてＲＡＭ２０２に記憶した撮像トリガー＝「シャッター」か否かを判定する。Ｙｅｓの場合は、ステップＳ１８０７に進む。Ｎｏの場合は、ステップＳ１８１０に進む。
【手続補正１９】
【補正対象書類名】明細書
【補正対象項目名】０１４８
【補正方法】変更
【補正の内容】
【０１４８】
ステップＳ１８１０において、情報処理装置１０１は、ステップＳ１８０４にてＲＡＭ２０２に記憶した撮像トリガー＝「音」か否かを判定する。Ｙｅｓの場合は、ステップＳ１８１１に進む。Ｎｏの場合は、ステップＳ１８１４に進む。
【手続補正２０】
【補正対象書類名】明細書
【補正対象項目名】０１５１
【補正方法】変更
【補正の内容】
【０１５１】
ステップＳ１８１４において、情報処理装置１０１は、ステップＳ１８０４にてＲＡＭ２０２に記憶した撮像トリガー＝「画像変化」か否かを判定する。Ｙｅｓの場合は、ステップＳ１８１５に進む。Ｎｏの場合は、ステップＳ１８１８に進む。
【手続補正２１】
【補正対象書類名】明細書
【補正対象項目名】０１５４
【補正方法】変更
【補正の内容】
【０１５４】
ステップＳ１８１８において、情報処理装置１０１は、ステップＳ１８０４にてＲＡＭ２０２に記憶した撮像トリガー＝「位置変化」か否かを判定する。Ｙｅｓの場合は、ステップＳ１８１９に進む。Ｎｏの場合は、ステップＳ１８２２に進む。
【手続補正２２】
【補正対象書類名】明細書
【補正対象項目名】０１５７
【補正方法】変更
【補正の内容】
【０１５７】
ステップＳ１８２２において、情報処理装置１０１は、ステップＳ１８０４にてＲＡＭ２０２に記憶した撮像トリガー＝「傾き変化」か否かを判定する。Ｙｅｓの場合は、ステップＳ１８２３に進む。Ｎｏの場合は、ステップＳ１８０３に戻り、次の撮像画像を取得する。